(57)【要約】      （修正有）【課題】中間配線盤を介して接続された２つの４線中継用伝送装置を試験する際の作業性を向上することができる伝送装置用試験装置を提供する。【解決手段】４線中継用伝送装置１１０に弾器コードを介して接続された、かつ、試験信号および子機側スイッチ制御信号を子機２０に４線中継用伝送装置１１０，１２０の音声信号線を介して送信する機能と地気試験に用いる直流電圧を子機２０に４線中継用伝送装置１１０，１２０の地気信号線を介して送信する機能とを備えた親機１０と、４線中継用伝送装置１２０に弾器コードを介して接続された、かつ、親機１０からの試験信号の受信レベルおよび親機１０からの直流電圧の電圧値を検出する機能と受信レベルおよび電圧値検出データを親機１０に４線中継用伝送装置１１０，１２０の音声信号線を介して送信する機能とを備えた子機２０とを具備する。【選択図】図２
2013118469.tif 000002
【特許請求の範囲】
【請求項１】
中間配線盤（１３０）を介して接続された第１および第２の４線中継用伝送装置（１１０，１２０）を試験するための伝送装置用試験装置であって、
前記第１の４線中継用伝送装置が、
第１のチャンネルシート（１１１）と、
該第１のチャンネルシートと前記中間配線盤とを接続する第１および第２の音声信号線並びに第１の送信側および受信側地気信号線にそれぞれ設置された第１乃至第４の弾器ジャック（１１４〜１１７）と、
前記中間配線盤から入力されるレベル０ｄＢｍの音声信号を所定の第１の減衰量（Ｔ1）だけ減衰して送信レベルで前記第１のチャンネルシートに前記第１の弾器ジャック（１１４）を介して出力する第１の減衰器（１１２）と、
前記第１のチャンネルシートから前記第２の弾器ジャック（１１５）を介して受信レベルで入力される音声信号を所定の第２の減衰量（Ｔ2）だけ減衰してレベル０ｄＢｍで前記中間配線盤に出力する第２の減衰器（１１３）とを備え、
前記第２の４線中継用伝送装置が、
第２のチャンネルシート（１２１）と、
該第２のチャンネルシートと前記中間配線盤とを接続する第３および第４の音声信号線並びに第２の送信側および受信側地気信号線にそれぞれ設置された第５乃至第８の弾器ジャック（１２４〜１２７）と、
前記中間配線盤から入力されるレベル０ｄＢｍの音声信号を所定の第３の減衰量（Ｔ3）だけ減衰して送信レベルで前記第５の弾器ジャック（１２４）を介して前記第２のチャンネルシートに出力する第３の減衰器（１２２）と、
前記第２のチャンネルシートから前記第６の弾器ジャック（１２５）を介して入力される受信レベルの音声信号を所定の第４の減衰量（Ｔ4）だけ減衰してレベル０ｄＢｍで前記中間配線盤に出力する第４の減衰器（１２３）とを備え、
前記伝送装置用試験装置が、
前記第１の４線中継用伝送装置の前記第１乃至第４の弾器ジャックと第１乃至第４の弾器コードを介してそれぞれ接続される第１乃至第４の端子（Ｔ4WS，Ｔ4WR，ＴDL，ＴRG）を備えた親機（１０）と、
前記第２の４線中継用伝送装置の前記第５乃至第８の弾器ジャックと第５乃至第８の弾器コードを介してそれぞれ接続される第５乃至第８の端子（Ｔ4WS，Ｔ4WR，ＴDL，ＴRG）を備えた子機（２０）とを具備し、
前記親機が、
前記第１の４線中継用伝送装置から前記第２の４線中継用伝送装置への音声信号の流れを試験する際には試験信号を前記第２および第３の音声信号線を介して前記子機に送信するとともに子機側スイッチ制御信号を前記第１および第４の音声信号線を介して前記子機に送信し、一方、前記第２の４線中継用伝送装置から前記第１の４線中継用伝送装置への音声信号の流れを試験する際には前記試験信号を前記第１および第４の音声信号線を介して前記子機に送信するとともに前記子機側スイッチ制御信号を前記第２および第３の音声信号線を介して前記子機に送信する機能と、
前記第１および第２の４線中継用伝送装置の地気試験に用いる直流電圧を前記子機に前記第１の送信側および受信側地気信号線と第２の送信側および受信側地気信号線とを介して送信する機能とを備え、
前記子機が、
前記子機側スイッチ制御信号に応じて、前記第１の４線中継用伝送装置から前記第２の４線中継用伝送装置への音声信号の流れを試験する際には前記前記第２および第３の音声信号線を介して送信されてくる前記試験信号の受信レベルを検出し、前記第２の４線中継用伝送装置から前記第１の４線中継用伝送装置への音声信号の流れを試験する際には前記第１および第４の音声信号線を介して送信されてくる前記試験信号の受信レベルを検出する機能と、
前記親機から送信されてくる前記直流電圧の電圧値を検出する機能と、
前記子機側スイッチ制御信号に応じて、前記第１の４線中継用伝送装置から前記第２の４線中継用伝送装置への音声信号の流れを試験する際には前記検出された試験信号の受信レベルを前記親機に前記第１および第４の音声信号線を介して送信し、前記第２の４線中継用伝送装置から前記第１の４線中継用伝送装置への音声信号の流れを試験する際には前記検出された試験信号の受信レベルを前記親機に前記第２および第３の音声信号線を介して送信し、前記第１および第２の４線中継用伝送装置の地気試験の際には前記検出された直流電圧の電圧値を前記親機に前記第１および第４の音声信号線または前記第２および第３の音声信号線を介して送信する機能と備える、
ことを特徴とする、伝送装置用試験装置。
【請求項２】
前記親機が、
前記試験信号を発信する試験信号発信器（１１）と、
前記子機側スイッチ制御信号を発信する子機側スイッチ制御信号発信器（１２）と、
前記第１の４線中継用伝送装置から前記第２の４線中継用伝送装置への音声信号の流れを試験する際には、前記試験信号を前記第２の端子（Ｔ4WR）に出力させるとともに前記子機側スイッチ制御信号を前記第１の端子（Ｔ4WS）に出力させ、前記第２の４線中継用伝送装置から前記第１の４線中継用伝送装置への音声信号の流れを試験する際には、前記試験信号を前記第１の端子（Ｔ4WS）に出力させるとともに前記子機側スイッチ制御信号を前記第２の端子（Ｔ4WR）に出力させるための第１のスイッチ手段（１３，１４，１５）と、
前記第３の端子（ＴDL）と前記第４の端子（ＴRG）との間に直列接続された地気試験用直流電圧源（１６）および地気用スイッチ（１７）と、
前記試験信号発信器、前記子機側スイッチ制御信号発信器、前記スイッチ手段および前記地気用スイッチを制御する制御器（１９）とを備え、
前記子機が、
前記試験信号の受信レベルを検出するレベル検出器（２１）と、
前記直流電圧の電圧値を検出する電圧検出器（２４）と、
前記第１の４線中継用伝送装置から前記第２の４線中継用伝送装置への音声信号の流れを試験する際には、前記第６の端子から入力される前記子機側スイッチ制御信号に応じて、前記第５の端子と前記レベル検出器の入力端子とを接続させるとともに前記第６の端子と該レベル検出器の出力端子および前記電圧検出器の出力端子とを接続させ、前記第２の４線中継用伝送装置から前記第１の４線中継用伝送装置への音声信号の流れを試験する際には、前記第５の端子から入力される前記子機側スイッチ制御信号に応じて、前記第６の端子と前記レベル検出器の入力端子とを接続させるとともに該第５の端子と該レベル検出器の出力端子および前記電圧検出器の出力端子とを接続させる第２のスイッチ手段（２２，２３）とを備え、
前記制御器が、前記レベル検出器から送られてくる試験信号の受信レベルおよび前記電圧検出器から送られてくる直流電圧の電圧値に基づいて前記第１および第２の４線中継用伝送装置の良否を判定する、
ことを特徴とする、請求項１記載の伝送装置用試験装置。
【請求項３】
前記試験信号が、周波数１ｋＨｚの正弦波信号であり、前記試験信号発信部から前記受信レベルで送信されることを特徴とする、請求項１または２記載の伝送装置用試験装置。
【請求項４】
前記子機側スイッチ制御信号が、音声信号の帯域内の異なる２つの周波数の正弦波信号であり、前記子機側スイッチ制御信号発信部から前記受信レベルで送信され、
第２のスイッチ手段が、前記子機側スイッチ制御信号の周波数に応じて、前記第５の端子と前記レベル検出器の入力端子とを接続させるとともに前記第６の端子と前記レベル検出器の出力端子および前記電圧検出器の出力端子とを接続させるか、前記第６の端子と前記レベル検出器の入力端子とを接続させるとともに該第５の端子と該レベル検出器の出力端子および前記電圧検出器の出力端子とを接続させるかを切り換える、
ことを特徴とする、請求項２または３記載の伝送装置用試験装置。
【請求項５】
前記レベル検出器が、前記検出した試験信号の受信レベルを示す試験信号受信レベルデータを音声信号の帯域内の周波数の搬送波信号で変調して前記親機に送信し、
前記電圧検出器が、前記検出した直流電圧の電圧値を示す電圧値データを音声信号の帯域内の他の周波数の搬送波信号で変調して前記親機に送信する、
ことを特徴とする、請求項２乃至４いずれかに記載の伝送装置用試験装置。
【発明の詳細な説明】
【技術分野】
【０００１】
本発明は、中間配線盤を介して接続された２つの４線中継用伝送装置を試験するのに好適な伝送装置用試験装置に関する。
【背景技術】
【０００２】
電力会社では、たとえば、Ａ制御所からＤ変電所への遠隔監視制御（ＴＣ）用回線を構成するときにＡ制御所からＤ変電所まで直接繋がる伝送装置がない場合には、Ｂ変電所およびＣ変電所において４線中継（４Ｗ中継。６線中継または６Ｗ中継と呼ばれることもある。）して通信回線を構成している。
【０００３】
また、Ｂ変電所における受信レベル（Ａ制御所またはＣ変電所から受信する音声信号のレベル）は＋４ｄＢｍ（インピーダンス６００Ω平衡。以下同様。）と規定され、Ｂ変電所における送信レベル（Ａ制御所またはＣ変電所に向けて送信する音声信号のレベル）は−８ｄＢｍと規定されているため、Ｂ変電所では、音声信号（帯域０．３〜３．４ｋＨｚ）のレベル調整用の可変減衰器（可変アッテネータ）が内蔵された４線中継用伝送装置を２つ（Ａ制御所向けとＣ変電所向け）設置して、音声信号のレベルが０ｄＢｍと規定された中間配線盤（ＩＤＦ）を介してこの２つの４線中継用伝送装置を接続している。
【０００４】
そのため、Ａ制御所向け４線中継用伝送装置は、たとえば図７に示すＡ制御所向け４線中継用伝送装置１１０のように、音声信号の変復調およびＡ制御所の伝送装置との間の送受信などを行うチャンネルシート１１１と、減衰量Ｔ1が８ｄＢに設定された音声信号送信側可変減衰器１１２（以下、「４ＷＳ側可変減衰器１１２」と称する。）と、減衰量Ｔ2が４ｄＢに設定された音声信号受信側可変減衰器１１３（以下、「４ＷＲ側可変減衰器１１３」と称する。）と、チャンネルシート１１１と４ＷＳ側可変減衰器１１２との間に設置された音声信号送信側弾器ジャック１１４（以下、「４ＷＳ弾器ジャック１１４」と称する。）と、チャンネルシート１１１と４ＷＲ側可変減衰器１１３との間に設置された音声信号受信側弾器ジャック１１５（以下、「４ＷＲ弾器ジャック１１５」と称する。）と、電話の着信信号の伝送に利用する送信側地気信号線（以下、「ＤＬ信号線」と称する。）および受信側地気信号線（以下、「ＲＧ信号線」と称する。）にそれぞれ設置されたＤＬ信号線弾器ジャック１１６およびＲＧ信号線弾器ジャック１１７とを備える。
【０００５】
同様に、Ｃ変電所向け４線中継用伝送装置は、たとえば図７に示すＣ変電所向け４線中継用伝送装置１２０のように、音声信号の変復調およびＣ変電所の伝送装置との間の送受信などを行うチャンネルシート１２１と、減衰量Ｔ3が８ｄＢに設定された音声信号送信側可変減衰器１２２（以下、「４ＷＳ側可変減衰器１２２」と称する。）と、減衰量Ｔ4が４ｄＢに設定された音声信号受信側可変減衰器１２３（以下、「４ＷＲ側可変減衰器１２３」と称する。）と、チャンネルシート１２１と４ＷＳ側可変減衰器１２２との間に設置された音声信号送信側弾器ジャック１２４（以下、「４ＷＳ弾器ジャック１２４」と称する。）と、チャンネルシート１２１と４ＷＲ側可変減衰器１２３との間に設置された音声信号受信側弾器ジャック１２５（以下、「４ＷＲ弾器ジャック１２５」と称する。）と、電話の着信信号の伝送に利用する送信側地気信号線（以下、「ＤＬ信号線」と称する。）および受信側地気信号線（以下、「ＲＧ信号線」と称する。）にそれぞれ設置されたＤＬ信号線弾器ジャック１２６およびＲＧ信号線弾器ジャック１２７とを備える。
【０００６】
中間配線盤１３０では、Ａ制御所向け４線中継用伝送装置１１０の４ＷＳ側可変減衰器１１２とＣ変電所向け４線中継用伝送装置１２０の４ＷＲ側可変減衰器１２３とを第１のジャンパ線１３１（音声信号は２本の線からなる音声信号線を用いて伝送されるため、２本のジャンパ線からなる。）を介して接続し、Ａ制御所向け４線中継用伝送装置１１０の４ＷＲ側可変減衰器１１３とＣ変電所向け４線中継用伝送装置１２０の４ＷＳ側可変減衰器１２２とを第２のジャンパ線１３２（第１のジャンパ線１３１と同様の理由により、２本のジャンパ線からなる。）を介して接続し、Ａ制御所向け４線中継用伝送装置１１０のＤＬ信号線弾器ジャック１１６とＣ変電所向け４線中継用伝送装置１２０のＲＧ信号線弾器ジャック１２７とを第３のジャンパ線１３３（電話の着信があるとＲＧ信号線はアースされるだけであるため、１本のジャンパ線からなる。）を介して接続し、Ａ制御所向け４線中継用伝送装置１１０のＲＧ信号線弾器ジャック１１７とＣ変電所向け４線中継用伝送装置１２０のＤＬ信号線弾器ジャック１２６とを第４のジャンパ線１３４（第３のジャンパ線１３３と同様の理由により、１本のジャンパ線からなる。）を介して接続している。
【０００７】
また、Ａ制御所とＤ変電所との間で対向試験を行い、Ｂ変電所およびＣ変電所における音声信号の流れを確認するとともに、電話の着信信号の伝送が正しく行われているか否かといった地気試験も行っている。
このような対向試験時にＢ変電所とＣ変電所の４線中継が確実にできていないと、一旦対向試験を中断し、Ｂ変電所とＣ変電所との接続状況を確認しなければならないが、Ｂ変電所とＣ変電所との間が距離的に離れている場合などは、大変な手戻りになる。
【０００８】
そのため、Ｂ変電所では、先ずＡ制御所からＤ変電所への音声信号の流れについて以下のようにして試験を行った後に、Ｄ変電所からＡ制御所への音声信号の流れについて同様にして試験している。
Ａ制御所向け４線中継用伝送装置１１０の４ＷＲ弾器ジャック１１５およびＲＧ信号線弾器ジャック１１７とＣ変電所向け４線中継用伝送装置１２０の４ＷＳ弾器ジャック１２４およびＤＬ信号線弾器ジャック１２６とを弾器コードを介してテスト盤に接続するとともに、テスト盤と試験信号発信器およびレベル検出器とを試験コードで接続し（下記の特許文献１の図８および特許文献２の図６参照）、規定の受信レベルである＋４ｄＢｍの試験信号を試験信号発信器からＡ制御所向け４線中継用伝送装置１１０の４ＷＲ弾器ジャック１１５（中間配線盤１３０側）に入力したときに、レベル検出器で検出される試験信号のレベルがＡ制御所向け４線中継用伝送装置１１０の４ＷＲ側可変減衰器１１３の減衰量Ｔ2＝４ｄＢとＣ変電所向け４線中継用伝送装置１２０の４ＷＳ側可変減衰器１２２の減衰量Ｔ3＝８ｄＢとの合計値である１２ｄＢほど減衰されたレベルである−８ｄＢｍであるか否かを確認している。
このとき、Ａ制御所向け４線中継伝送装置１１０にＲＧ信号の着信があった場合を模擬して確認するために、Ａ制御所向け４線中継伝送装置１１０にＲＧ信号の着信があったときにはＲＧ信号線は地気（アース）になるので、地気用スイッチを用いてテスト盤を介してＡ制御所向け４線中継伝送装置１１０のＲＧ信号線弾器ジャック１１７（中間配線盤１３０側）をアースして、Ｃ変電所向け４線中継伝送装置１２９のＤＬ信号線弾器ジャック１２６と弾器コードを介して接続された地気検出用発光ダイオード（テスト盤に実装されたＤＬ／ＲＧチェッカー）が発光するか否かで接続の妥当性を確認している（下記の特許文献１の図９参照）。
【０００９】
Ｃ変電所においても、同様にして、Ａ制御所からＤ変電所への音声信号の流れ試験、Ｄ変電所からＡ制御所への音声信号の流れ試験および地気試験を行っている。
【００１０】
なお、本出願人の下記特許文献１の通信回線中継器は、災害発生時に伝送装置の弾器ジャックに接続した弾器コードを通信回線中継装置を介して他の伝送装置に接続し、復旧のための緊急の回線を構成するものである。
また、本出願人の下記特許文献２の簡易型回線確認装置は、伝送装置の構成および接続の確認を伝送装置のテスト盤を使用せずに、弾器ジャックに装着できて、ハイインピーダンススピーカーでモニター確認をするものである。
【先行技術文献】
【特許文献】
【００１１】
【特許文献１】特開２００９−１１１６７９号公報
【特許文献２】特開２００７−０４９３２１号公報
【発明の概要】
【発明が解決しようとする課題】
【００１２】
しかしながら、上述した従来のＢ変電所およびＣ変電所における試験方法では、Ａ制御所向け４線中継用伝送装置１１０とＣ変電所向け４線中継用伝送装置１２０との位置関係（特に、広い通信機械室でＡ制御所向け４線中継用伝送装置１１０とＣ変電所向け４線中継用伝送装置１２０とが離れて設置されている場合）や作業の安全性を考えると、少なくともＡ制御所向け４線中継用伝送装置１１０に１人の作業員およびＣ変電所向け４線中継用伝送装置１２０に他の１人の作業員を配置して試験を行う必要があるという問題があった。
【００１３】
このような問題を解決するために、たとえば図８に示すような伝送装置用試験装置２００（以下、「試験装置２００」と称する。）を構成して使用することが考えられる。
すなわち、試験装置２００の第１の試験信号発信器２１１を第１の弾器コード１５１を介してＡ制御所向け４線中継用伝送装置１１０の４ＷＲ弾器ジャック１１５（中間配線盤１３０側）に接続し、第１のレベル検出器２２１を第２の弾器コード１５２を介してＡ制御所向け４線中継用伝送装置１１０の４ＷＳ弾器ジャック１１４（中間配線盤１３０側）に接続し、第１の地気用スイッチ２３１を第３の弾器コード１５３を介してＡ制御所向け４線中継用伝送装置１１０のＲＧ信号線弾器ジャック１１７（中間配線盤１３０側）に接続し、第１の地気検出器２４１（発光ダイオードと負極が発光ダイオードに接続されるとともに正極がアースされた直流電圧源とからなる。）を第４の弾器コード１５４を介してＡ制御所向け４線中継用伝送装置１１０のＤＬ信号線弾器ジャック１１６（中間配線盤１３０側）に接続する。
同様に、試験装置２００の第２の試験信号発信器２１２を第５の弾器コード１５５を介してＣ変電所向け４線中継用伝送装置１２０の４ＷＲ弾器ジャック１２５（中間配線盤１３０側）に接続し、第２のレベル検出器２２２を第６の弾器コード１５６を介してＣ変電所向け４線中継用伝送装置１１０の４ＷＳ弾器ジャック１２４（中間配線盤１３０側）に接続し、第２の地気用スイッチ２３２を第７の弾器コード１５７を介してＣ変電所向け４線中継用伝送装置１２０のＲＧ信号線弾器ジャック１２７（中間配線盤１３０側）に接続し、第２の地気検出器２４２（発光ダイオードと負極が発光ダイオードに接続されるとともに正極がアースされた直流電圧源とからなる。）を第８の弾器コード１５８を介してＣ変電所向け４線中継用伝送装置１２０のＤＬ信号線弾器ジャック１２６（中間配線盤１３０側）に接続する。
【００１４】
Ｂ変電所においてＡ制御所からＤ変電所への音声信号の流れ試験および地気試験をする際には、試験装置２００の第１の試験信号発信器２１１から＋４ｄＢｍの試験信号を出力して第２のレベル検出器２２２で測定した試験信号の減衰量が−８ｄＢｍであるか否かを確認するとともに、第１の地気用スイッチ２３１を閉じたときに第２の地気検出器２４２の発光ダイオードが点灯するか否かを確認する。
その後、Ｄ変電所からＡ制御所への音声信号の流れ試験および地気試験をする際には、試験装置２００の第２の試験信号発信器２１２から＋４ｄＢｍの試験信号を出力して第１のレベル検出器２２１で測定した試験信号の減衰量が−８ｄＢｍであるか否かを確認するとともに、第２の地気用スイッチ２３２を閉じたときに第１の地気検出器２４１の発光ダイオードが点灯するか否かを確認する。
【００１５】
しかしながら、このような試験装置２００を使用しても、Ａ制御所向け４線中継用伝送装置１１０とＣ変電所向け４線中継用伝送装置１２０とが離れて設置されている場合には、第１乃至第８の弾器コード１５１〜１５８が長くなり、長い第１乃至第８の弾器コード１５１〜１５８を引き回さなければならないという問題がある。
【００１６】
また、このような第１乃至第８の弾器コード１５１〜１５８の引回しの問題を解決するために、試験装置２００をＡ制御所向け４線中継用伝送装置１１０側（以下、「親機」と称する。）とＣ変電所向け４線中継用伝送装置１２０側（以下、「子機」と称する。）とに分離するとともに、親機および子機に中央処理装置（ＣＰＵ）および無線機をそれぞれ設けて、親機の中央処理装置から子機の第２の試験信号発信器２１２および第２の地気用スイッチ２１２の動作開始制御信号を親機および子機の無線機を介して子機の中央処理装置に送信し、子機の中央処理装置によって子機の第２の試験信号発信器２１２および第２の地気用スイッチ２１２を動作させ、子機の第２のレベル検出器２２２および第２の地気検出器２４２の検出結果を子機の中央処理装置から子機および親機の無線機を介して親機の中央処理装置に送信する方法が考えられる。
【００１７】
しかしながら、このような方法では、親機および子機に中央処理装置および無線機をそれぞれ設置する必要があるという問題がある。
【００１８】
本発明の目的は、中間配線盤を介して接続された２つの４線中継用伝送装置を試験する際の作業性を向上することができる伝送装置用試験装置を提供することにある。
【課題を解決するための手段】
【００１９】
本発明の伝送装置用試験装置は、中間配線盤（１３０）を介して接続された第１および第２の４線中継用伝送装置（１１０，１２０）を試験するための伝送装置用試験装置であって、前記第１の４線中継用伝送装置が、第１のチャンネルシート（１１１）と、該第１のチャンネルシートと前記中間配線盤とを接続する第１および第２の音声信号線並びに第１の送信側および受信側地気信号線にそれぞれ設置された第１乃至第４の弾器ジャック（１１４〜１１７）と、前記中間配線盤から入力されるレベル０ｄＢｍの音声信号を所定の第１の減衰量（Ｔ1）だけ減衰して送信レベルで前記第１のチャンネルシートに前記第１の弾器ジャック（１１４）を介して出力する第１の減衰器（１１２）と、前記第１のチャンネルシートから前記第２の弾器ジャック（１１５）を介して受信レベルで入力される音声信号を所定の第２の減衰量（Ｔ2）だけ減衰してレベル０ｄＢｍで前記中間配線盤に出力する第２の減衰器（１１３）とを備え、前記第２の４線中継用伝送装置が、第２のチャンネルシート（１２１）と、該第２のチャンネルシートと前記中間配線盤とを接続する第３および第４の音声信号線並びに第２の送信側および受信側地気信号線にそれぞれ設置された第５乃至第８の弾器ジャック（１２４〜１２７）と、前記中間配線盤から入力されるレベル０ｄＢｍの音声信号を所定の第３の減衰量（Ｔ3）だけ減衰して送信レベルで前記第５の弾器ジャック（１２４）を介して前記第２のチャンネルシートに出力する第３の減衰器（１２２）と、前記第２のチャンネルシートから前記第６の弾器ジャック（１２５）を介して入力される受信レベルの音声信号を所定の第４の減衰量（Ｔ4）だけ減衰してレベル０ｄＢｍで前記中間配線盤に出力する第４の減衰器（１２３）とを備え、前記伝送装置用試験装置が、前記第１の４線中継用伝送装置の前記第１乃至第４の弾器ジャックと第１乃至第４の弾器コードを介してそれぞれ接続される第１乃至第４の端子（Ｔ4WS，Ｔ4WR，ＴDL，ＴRG）を備えた親機（１０）と、前記第２の４線中継用伝送装置の前記第５乃至第８の弾器ジャックと第５乃至第８の弾器コードを介してそれぞれ接続される第５乃至第８の端子（Ｔ4WS，Ｔ4WR，ＴDL，ＴRG）を備えた子機（２０）とを具備し、前記親機が、前記第１の４線中継用伝送装置から前記第２の４線中継用伝送装置への音声信号の流れを試験する際には試験信号を前記第２および第３の音声信号線を介して前記子機に送信するとともに子機側スイッチ制御信号を前記第１および第４の音声信号線を介して前記子機に送信し、一方、前記第２の４線中継用伝送装置から前記第１の４線中継用伝送装置への音声信号の流れを試験する際には前記試験信号を前記第１および第４の音声信号線を介して前記子機に送信するとともに前記子機側スイッチ制御信号を前記第２および第３の音声信号線を介して前記子機に送信する機能と、前記第１および第２の４線中継用伝送装置の地気試験に用いる直流電圧を前記子機に前記第１の送信側および受信側地気信号線と第２の送信側および受信側地気信号線とを介して送信する機能とを備え、前記子機が、前記子機側スイッチ制御信号に応じて、前記第１の４線中継用伝送装置から前記第２の４線中継用伝送装置への音声信号の流れを試験する際には前記前記第２および第３の音声信号線を介して送信されてくる前記試験信号の受信レベルを検出し、前記第２の４線中継用伝送装置から前記第１の４線中継用伝送装置への音声信号の流れを試験する際には前記第１および第４の音声信号線を介して送信されてくる前記試験信号の受信レベルを検出する機能と、前記親機から送信されてくる前記直流電圧の電圧値を検出する機能と、前記子機側スイッチ制御信号に応じて、前記第１の４線中継用伝送装置から前記第２の４線中継用伝送装置への音声信号の流れを試験する際には前記検出された試験信号の受信レベルを前記親機に前記第１および第４の音声信号線を介して送信し、前記第２の４線中継用伝送装置から前記第１の４線中継用伝送装置への音声信号の流れを試験する際には前記検出された試験信号の受信レベルを前記親機に前記第２および第３の音声信号線を介して送信し、前記第１および第２の４線中継用伝送装置の地気試験の際には前記検出された直流電圧の電圧値を前記親機に前記第１および第４の音声信号線または前記第２および第３の音声信号線を介して送信する機能と備えることを特徴とする。
ここで、前記親機が、前記試験信号を発信する試験信号発信器（１１）と、前記子機側スイッチ制御信号を発信する子機側スイッチ制御信号発信器（１２）と、前記第１の４線中継用伝送装置から前記第２の４線中継用伝送装置への音声信号の流れを試験する際には、前記試験信号を前記第２の端子（Ｔ4WR）に出力させるとともに前記子機側スイッチ制御信号を前記第１の端子（Ｔ4WS）に出力させ、前記第２の４線中継用伝送装置から前記第１の４線中継用伝送装置への音声信号の流れを試験する際には、前記試験信号を前記第１の端子（Ｔ4WS）に出力させるとともに前記子機側スイッチ制御信号を前記第２の端子（Ｔ4WR）に出力させるための第１のスイッチ手段（１３，１４，１５）と、前記第３の端子（ＴDL）と前記第４の端子（ＴRG）との間に直列接続された地気試験用直流電圧源（１６）および地気用スイッチ（１７）と、前記試験信号発信器、前記子機側スイッチ制御信号発信器、前記スイッチ手段および前記地気用スイッチを制御する制御器（１９）とを備え、前記子機が、前記試験信号の受信レベルを検出するレベル検出器（２１）と、前記直流電圧の電圧値を検出する電圧検出器（２４）と、前記第１の４線中継用伝送装置から前記第２の４線中継用伝送装置への音声信号の流れを試験する際には、前記第６の端子から入力される前記子機側スイッチ制御信号に応じて、前記第５の端子と前記レベル検出器の入力端子とを接続させるとともに前記第６の端子と該レベル検出器の出力端子および前記電圧検出器の出力端子とを接続させ、前記第２の４線中継用伝送装置から前記第１の４線中継用伝送装置への音声信号の流れを試験する際には、前記第５の端子から入力される前記子機側スイッチ制御信号に応じて、前記第６の端子と前記レベル検出器の入力端子とを接続させるとともに該第５の端子と該レベル検出器の出力端子および前記電圧検出器の出力端子とを接続させる第２のスイッチ手段（２２，２３）とを備え、前記制御器が、前記レベル検出器から送られてくる試験信号の受信レベルおよび前記電圧検出器から送られてくる直流電圧の電圧値に基づいて前記第１および第２の４線中継用伝送装置の良否を判定してもよい。
前記試験信号が、周波数１ｋＨｚの正弦波信号であり、前記試験信号発信部から前記受信レベルで送信されてもよい。
前記子機側スイッチ制御信号が、音声信号の帯域内の異なる２つの周波数の正弦波信号であり、前記子機側スイッチ制御信号発信部から前記受信レベルで送信され、第２のスイッチ手段が、前記子機側スイッチ制御信号の周波数に応じて、前記第５の端子と前記レベル検出器の入力端子とを接続させるとともに前記第６の端子と前記レベル検出器の出力端子および前記電圧検出器の出力端子とを接続させるか、前記第６の端子と前記レベル検出器の入力端子とを接続させるとともに該第５の端子と該レベル検出器の出力端子および前記電圧検出器の出力端子とを接続させるかを切り換えてもよい。
前記レベル検出器が、前記検出した試験信号の受信レベルを示す試験信号受信レベルデータを音声信号の帯域内の周波数の搬送波信号で変調して前記親機に送信し、前記電圧検出器が、前記検出した直流電圧の電圧値を示す電圧値データを音声信号の帯域内の他の周波数の搬送波信号で変調して前記親機に送信してもよい。
【発明の効果】
【００２０】
本発明の伝送装置用試験装置は、以下に示す効果を奏する。
（１）中間配線盤を介して接続された２つの４線中継用伝送装置の試験を１人の作業員で行うことができるため、作業性を向上することができる。
（２）テスト盤へのコードの接続は専門的な知識を必要としたが、親機および子機を２つの４線中継用伝送装置の弾器ジャックに弾器コードを介して直接接続するだけでよいため、作業性を向上することができるとともに、コードの接続間違いをなくすことができる。
（３）試験信号の受信レベルの検出、直流電圧の電圧値の検出および２つの４線中継用伝送装置の良否判定を自動化することができるため、作業の効率が高まる。
（４）伝送装置用試験装置を親機と子機とに分離して、親機と子機との間の試験信号などの伝送を２つの４線中継用伝送装置の音声信号線および地気信号線を介して行うことにより、長いコードを引き回す必要がないため、作業性を向上することができる。
（５）従来は試験内容が変わるたびにテスト盤のコード接続などを変更する必要があったが、親機と子機とを２つの４線中継用伝送装置の弾器ジャックに接続するだけで試験することができる。
【図面の簡単な説明】
【００２１】
【図１】本発明の一実施例による伝送装置用試験装置について説明するための図であり、（ａ）は伝送装置用試験装置が具備する親機１０の構成を示すブロック図であり、（ｂ）は伝送装置用試験装置が具備する子機２０の構成を示すブロック図である。
【図２】図１に示した伝送装置用試験装置を用いて図７に示したＡ制御所向け４線中継用伝送装置１１０およびＣ変電所向け４線中継用伝送装置１２０の試験を行う手順について説明するためのものである。
【図３】図１に示した伝送装置用試験装置を用いて図７に示したＡ制御所向け４線中継用伝送装置１１０およびＣ変電所向け４線中継用伝送装置１２０の試験を行う手順について説明するためのものである。
【図４】図１に示した伝送装置用試験装置を用いて図７に示したＡ制御所向け４線中継用伝送装置１１０およびＣ変電所向け４線中継用伝送装置１２０の試験を行う手順について説明するためのものである。
【図５】図１に示した伝送装置用試験装置を用いて図７に示したＡ制御所向け４線中継用伝送装置１１０およびＣ変電所向け４線中継用伝送装置１２０の試験を行う手順について説明するためのものである。
【図６】図１に示した伝送装置用試験装置を用いて図７に示したＡ制御所向け４線中継用伝送装置１１０およびＣ変電所向け４線中継用伝送装置１２０の試験を行う手順について説明するためのものである。
【図７】従来のＡ制御所向け４線中継用伝送装置１１０およびＣ変電所向け４線中継用伝送装置１２０の構成および中間配線盤１３０を介した接続状態について説明するための図である。
【図８】従来の試験方法の問題を解決することができる試験装置２００について説明するための図である。
【発明を実施するための形態】
【００２２】
上記の目的を、試験信号および子機側スイッチ制御信号を子機に音声信号線を介して送信する機能と地気試験に用いる直流電圧を子機に地気信号線を介して送信する機能とを親機に備えさせるとともに、試験信号の受信レベルおよび直流電圧の電圧値を検出する機能と受信レベルおよび電圧値検出データを親機に音声信号線を介して送信する機能とを子機に備えさせることにより実現した。
【実施例１】
【００２３】
以下、本発明の伝送装置用試験装置の実施例について図面を参照して説明する。
【００２４】
本発明の伝送装置用試験装置は、図７に示した４ＷＳ側可変減衰器１１２，１２２および４ＷＲ側可変減衰器１１３，１２３が双方向であることに着目し、音声信号の流れを試験するための試験信号および子機２０の４ＷＳ／４ＷＲ切換スイッチ２３（図１（ｂ）参照）の切換制御を行うための子機側スイッチ制御信号を子機２０に音声信号線を介して送信する機能と地気試験に用いる直流電圧を子機２０にＤＬ信号線およびＲＧ信号線を介して送信する機能とを図１（ａ）に示す親機１０に備えさせるとともに、試験信号の受信レベルおよび直流電圧の電圧値を検出する機能と検出データ（試験信号の受信レベルおよび直流電圧の電圧値を示すデータ）を親機１０に音声信号線を介して送信する機能とを同図（ｂ）に示す子機２０に備えさせることにより、試験に必要な作業員の数を１人にすることができ、親機１０にのみ制御器（中央処理装置を備える。）を設ければ足りるとともに、親機１０および子機２０に無線機をそれぞれ設置する必要をなくすことを特徴とする。
【００２５】
そのため、本発明の一実施例による伝送装置用試験装置は、試験信号発信器１１、子機側スイッチ制御信号発信器１２、スイッチ制御器１３、４ＷＳ／４ＷＲ切換スイッチ１４、制御／検出切換スイッチ１５、地気試験用直流電圧源１６、地気用スイッチ１７、表示器１８、制御器１９、４ＷＳ端子Ｔ4WS、４ＷＲ端子Ｔ4WR、ＲＧ端子ＴRGおよびＤＬ端子ＴDLを備えた親機１０と、レベル検出器２１、スイッチ制御器２２、４ＷＳ／４ＷＲ切換スイッチ２３、電圧検出器２４、４ＷＳ端子Ｔ4WS、４ＷＲ端子Ｔ4WR、ＲＧ端子ＴRGおよびＤＬ端子ＴDLを備えた子機２０とを具備する。
【００２６】
親機１０の試験信号発信器１１は、音声信号の流れを試験するための試験信号を制御器１９からの制御信号に応じて発信するためのものである。
ここで、試験信号は、音声信号の周波数帯域０．３〜３．４ｋＨｚ内の周波数の正弦波信号とするが、好ましくは、周波数帯域０．３〜３．４ｋＨｚにおいて厳密にはフラットでない周波数特性を有する４ＷＳ側可変減衰器１１２，１２２および４ＷＲ側可変減衰器１１３，１２３の調整を行う際に使用されている標準周波数１ｋＨｚの正弦波信号とする。また、試験信号の送信レベルは、音声信号の受信レベルである＋４ｄＢｍとする。
【００２７】
子機側スイッチ制御信号発信器１２は、子機２０の４ＷＳ／４ＷＲ切換スイッチ２３の切換制御を行うための子機側スイッチ制御信号を制御器１９からの制御信号に応じて発信するためのものである。
ここで、子機側スイッチ制御信号は、後述するように４ＷＳ側可変減衰器１１２および４ＷＲ側可変減衰器１２３を経由するか４ＷＲ側可変減衰器１１３および４ＷＳ側可変減衰器１２２を経由して親機１０から子機２０に送られるため、試験信号と同様に音声信号の周波数帯域０．３〜３．４ｋＨｚ内の周波数でありかつ送信レベルが＋４ｄＢｍである正弦波信号とする。
たとえば、子機側スイッチ制御信号発信器１２は、子機２０の４ＷＳ／４ＷＲ切換スイッチ２３を図１（ｂ）に実線で示すように４ＷＳ端子Ｔ4WSとレベル検出器２１の入力端子とを接続させるとともに４ＷＲ端子Ｔ4WRとレベル検出器２１の出力端子および電圧検出器２４の出力端子とを接続させるときには周波数０．５ｋＨｚの正弦波信号である子機側スイッチ制御信号を送信レベル＋４ｄＢｍで発信し、一方、子機２０の４ＷＳ／４ＷＲ切換スイッチ２３を同図に破線で示すように４ＷＳ端子Ｔ4WSとレベル検出器２１の出力端子および電圧検出器２４の出力端子とを接続させるとともに４ＷＲ端子Ｔ4WRとレベル検出器２１の入力端子とを接続させるときには周波数０．８ｋＨｚの正弦波信号である子機側スイッチ制御信号を送信レベル＋４ｄＢｍで発信する。
【００２８】
スイッチ制御器１３は、親機１０の４ＷＳ／４ＷＲ切換スイッチ１４および制御／検出切換スイッチ１５の切換制御を制御器１９からの制御信号に応じて行うためのものである。
【００２９】
４ＷＳ／４ＷＲ切換スイッチ１４は、図１（ａ）に実線で示すように親機１０の４ＷＳ端子Ｔ4WSと試験信号発信器１１とを接続させるとともに４ＷＲ端子Ｔ4WRと制御／検出切換スイッチ１５とを接続させるか、同図に破線で示すように４ＷＳ端子Ｔ4WSと制御／検出切換スイッチ１５とを接続させるとともに４ＷＲ端子Ｔ4WRと試験信号発信器１１とを接続させるかを切り換えるためのものである。
【００３０】
制御／検出切換スイッチ１５は、図１（ａ）に実線で示すように４ＷＳ／４ＷＲ切換スイッチ１４と子機側スイッチ制御信号発信器１２とを接続させるか、同図に破線で示すように４ＷＳ／４ＷＲ切換スイッチ１４と制御器１９とを接続させるかを切り換えるためのものである。
【００３１】
地気試験用直流電圧源１６および地気用スイッチ１７は、地気試験を行う際にたとえば＋５Ｖの直流電圧を親機１０から子機２０に出力するためのものである。
ここで、地気試験用直流電圧源１６の＋端子は親機１０のＲＧ端子ＴRGに接続されており、地気試験用直流電圧源１６の−端子は親機１０のＤＬ端子ＴDLに地気用スイッチ１７を介して接続されている。
地気用スイッチ１７は、制御器１９からの制御信号に応じて開閉制御される。
なお、地気試験用直流電圧源１６の＋端子および−端子をＲＧ端子ＴRGおよびＤＬ端子ＴDLにそれぞれ接続したが、地気試験用直流電圧源１６の＋端子および−端子をＤＬ端子ＴDLおよびＲＧ端子ＴRGにそれぞれ接続してもよい。
【００３２】
表示部１８は、制御器１９から入力される試験結果表示データに基づいて試験結果（音声信号の流れの試験および地気試験の結果）を表示するためのものである。
【００３３】
制御器１９は、試験信号発信器１１、子機側スイッチ制御信号発信器１２、スイッチ制御器１３および地気用スイッチ１７を制御するとともに、子機２０のレベル検出器２１から送られてくる試験信号受信レベルデータおよび子機２０の電圧検出器２４から送られてくる電圧値データに基づいて音声信号の流れの良否判定および地気試験良否判定を行い、これらの良否判定を表示させる試験結果表示データを生成して表示部１８に出力する。
そのため、制御器１９は、試験信号受信レベル検出信号および電圧値検出信号を受信するための受信部と、制御信号および試験結果表示データを生成するための中央処理装置（ＣＰＵ）とを備える。
【００３４】
子機２０のレベル検出器２１は、親機２１から送られてくる試験信号の受信レベルを検出するためのものである。
ここで、試験信号は２本の線からなる音声信号線のうちの１本の線を介して試験信号発信器１１から子機１０に送られたのち他の１本の線を介して試験信号発信器１１に戻るようにされているため、レベル検出器２１では、この２本の線の間に６００Ω終端抵抗を接続し、この６００Ω終端抵抗の両端電圧を測定し、測定した電圧値をレベルに換算することにより試験信号の受信レベルを検出する。
また、レベル検出器２１は、たとえば検出した受信レベルを示す試験信号受信レベルデータを周波数２ｋＨｚの搬送波信号で位相偏移変調（ＰＳＫ）することにより試験信号受信レベル検出信号を生成して送信レベル＋４ｄＢｍで親機１０に送信する。
【００３５】
なお、子機側スイッチ制御信号は、試験信号と同様に２本の線からなる音声信号線のうちの１本の線を介して親機１０の子機側スイッチ制御発信器１２から子機２０のスイッチ制御器２２に送られたのち他の１本の線を介して親機１０の子機側スイッチ制御発信器１２に戻るようにされているため、子機２０のスイッチ制御器２２の受信部（不図示）では、この２本の線の間に６００Ω終端抵抗が接続されている。
同様に、試験信号受信レベル検出信号および電圧値検出信号は２本の線からなる音声信号線のうちの１本の線を介して子機２０のレベル検出器２１および電圧検出器２４から親機１０の制御器１９に送られたのち他の１本の線を介して子機２０のレベル検出器２１および電圧検出器２４に戻るようにされているため、制御器１９の受信部では、この２本の線の間に６００Ω終端抵抗が接続されている。
【００３６】
スイッチ制御器２２は、４ＷＳ／４ＷＲ切換スイッチ２３の切換制御を親機１０からの子機側スイッチ制御信号に応じて行うためのものである。
すなわち、スイッチ制御器２２は、周波数０．５ｋＨｚの正弦波信号である子機側スイッチ制御信号が親機１０から子機２０の４ＷＲ端子Ｔ4WRを介して送られてくると、図１（ｂ）に実線で示すように４ＷＳ端子Ｔ4WSとレベル検出器２１の入力端子とを接続させるとともに４ＷＲ端子Ｔ4WRとレベル検出器２１の出力端子および電圧検出器２４の出力端子とを接続させるように４ＷＳ／４ＷＲ切換スイッチ２３を制御する。
一方、スイッチ制御器２２は、周波数０．８ｋＨｚの正弦波信号である子機側スイッチ制御信号が親機１０から子機２０の４ＷＳ端子Ｔ4WSを介して送られてくると、同図に破線で示すように４ＷＳ端子Ｔ4WSとレベル検出器２１の出力端子および電圧検出器２４の出力端子とを接続させるとともに４ＷＲ端子Ｔ4WRとレベル検出器２１の入力端子とを接続させるように４ＷＳ／４ＷＲ切換スイッチ２３を制御する。
【００３７】
４ＷＳ／４ＷＲ切換スイッチ２３は、図１（ｂ）に実線で示すように４ＷＳ端子Ｔ4WSとレベル検出器２１の入力端子とを接続させるとともに４ＷＲ端子Ｔ4WRとレベル検出器２１の出力端子および電圧検出器２４の出力端子とを接続させるか、同図に破線で示すように４ＷＳ端子Ｔ4WSとレベル検出器２１の出力端子および電圧検出器２４の出力端子とを接続させるとともに４ＷＲ端子Ｔ4WRとレベル検出器２１の入力端子とを接続させるかを切り換えるためのものである。
【００３８】
電圧検出器２４は、地気試験時に親機１０から印加される子機２０のＤＬ端子ＴDLとＲＧ端子ＴRGとの間の直流電圧の電圧値を検出するためのものである。
ここで、電圧検出器２４は、たとえば検出した電圧値を示す電圧値データを周波数２．５ｋＨｚの搬送波信号で位相偏移変調することにより電圧値検出信号を生成して親機１０に送信レベル＋４ｄＢｍで送信する。
【００３９】
次に、本実施例による伝送装置用試験装置を用いて図７に示したＡ制御所向け４線中継用伝送装置１１０およびＣ変電所向け４線中継用伝送装置１２０の試験を行う手順について、図２乃至図６を参照して説明する。
なお、図面の簡単のために、図２乃至図６ではＡ制御所向け４線中継用伝送装置１１０のチャンネルシート１１１およびＣ変電所向け４線中継用伝送装置１２０のチャンネルシート１２１は省略している。
【００４０】
作業員は、Ｃ変電所向け４線中継用伝送装置１２０が設置されている個所において、図２に示すように、４本の弾器コードの一端を子機２０の４ＷＳ端子Ｔ4WS、４ＷＲ端子Ｔ4WR、ＤＬ端子ＴDLおよびＲＧ端子ＴRGにそれぞれ接続するとともに、この４本の弾器コードの他端にそれぞれ取り付けられた４つの弾器プラグをＣ変電所向け４線中継用伝送装置１２０の４ＷＳ弾器ジャック１２４、４ＷＲ弾器ジャック１２５、ＤＬ信号線弾器ジャック１２６およびＲＧ信号線弾器ジャック１２７にそれぞれ差し込んで、子機２０の４ＷＳ端子Ｔ4WS、４ＷＲ端子Ｔ4WR、ＤＬ端子ＴDLおよびＲＧ端子ＴRGとＣ変電所向け４線中継用伝送装置１２０の４ＷＳ弾器ジャック１２４、４ＷＲ弾器ジャック１２５、ＤＬ信号線弾器ジャック１２６およびＲＧ信号線弾器ジャック１２７の中間配線盤１３０側とをそれぞれ接続する。
その後、作業員は、Ａ制御所向け４線中継用伝送装置１１０が設置されている個所に移動して、４本の弾器コードの一端を親機１０の４ＷＳ端子Ｔ4WS、４ＷＲ端子Ｔ4WR、ＤＬ端子ＴDLおよびＲＧ端子ＴRGにそれぞれ接続するとともに、この４本の弾器コードの他端にそれぞれ取り付けられた４つの弾器プラグをＡ制御所向け４線中継用伝送装置１１０の４ＷＳ弾器ジャック１１４、４ＷＲ弾器ジャック１１５、ＤＬ信号線弾器ジャック１１６およびＲＧ信号線弾器ジャック１１７にそれぞれ差し込んで、親機１０の４ＷＳ端子Ｔ4WS、４ＷＲ端子Ｔ4WR、ＤＬ端子ＴDLおよびＲＧ端子ＴRGとＡ制御所向け４線中継用伝送装置１１０の４ＷＳ弾器ジャック１１４、４ＷＲ弾器ジャック１１５、ＤＬ信号線弾器ジャック１１６およびＲＧ信号線弾器ジャック１１７の中間配線盤１３０側とをそれぞれ接続する。
【００４１】
続いて、作業員は、親機１０に備えられた試験開始ボタン（不図示）を押して、試験開始信号を制御器１９に入力する。
制御器１９は、試験開始信号が入力されると、先ずＡ制御所向け４線中継用伝送装置１１０からＣ変電所向け４線中継用伝送装置１２０への音声信号の流れについて試験するために、４ＷＳ／４ＷＲ切換スイッチ１４を４ＷＲ端子Ｔ4WRと試験信号発信器１１とを接続させるとともに４ＷＳ端子Ｔ4WSと制御／検出切換スイッチ１５とを接続させるように切り換え、また、制御／検出切換スイッチ１５を４ＷＳ／４ＷＲ切換スイッチ１４と子機側スイッチ制御信号発信器１２とを接続するように切り換えることを指示する制御信号を、スイッチ制御器１３に出力する。
これにより、図２に示すように、４ＷＳ／４ＷＲ切換スイッチ１４は４ＷＲ端子Ｔ4WRと試験信号発信器１１とを接続するとともに４ＷＳ端子Ｔ4WSと制御／検出切換スイッチ１５とを接続するようにスイッチ制御器１３によって切り換えられ、また、制御／検出切換スイッチ１５は４ＷＳ／４ＷＲ切換スイッチ１４と子機側スイッチ制御信号発信器１２とを接続するようにスイッチ制御器１３によって切り換えられる。
【００４２】
続いて、制御器１９は、子機２０の４ＷＳ／４ＷＲ切換スイッチ２３を４ＷＳ端子Ｔ4WSとレベル検出器２１の入力端子とを接続するように切り換え、また、４ＷＲ端子Ｔ4WRとレベル検出器２１の出力端子および電圧検出器２４の出力端子とを接続するように切り換えることを指示する制御信号を、子機側スイッチ制御器１２に出力する。
子機側スイッチ制御器１２は、この制御信号に応じて、周波数０．５Ｈｚの正弦波信号である子機側スイッチ制御信号を送信レベル＋４ｄＢｍで発信する。
【００４３】
この子機側スイッチ制御信号は、図２に太線で示すように、親機１０の制御／検出切換スイッチ１５→４ＷＳ／４ＷＲ切換スイッチ１４→４ＷＳ端子Ｔ4WS→弾器コード→Ａ制御所向け４線中継用伝送装置１１０の４ＷＳ弾器ジャック１１４→４ＷＳ側可変減衰器１１２→中間配線盤１３０の第１のジャンパ線１３１→Ｃ変電所向け４線中継用伝送装置１２０の４ＷＲ側可変減衰器１２３→４ＷＲ弾器ジャック１２５→弾器コード→子機２０の４ＷＲ端子Ｔ4WRの順に経由して子機２０のスイッチ制御器２２に送られる。
このとき、子機側スイッチ制御信号は、Ａ制御所向け４線中継用伝送装置１１０の４ＷＳ側可変減衰器１１２によって８ｄＢほど減衰されるとともにＣ変電所向け４線中継用伝送装置１２０の４ＷＲ側可変減衰器１２３によって４ｄＢほど減衰されるため、−８ｄＢｍのレベルで子機２０のスイッチ制御器２２に入力されるが、スイッチ制御器２２の受信部は−８ｄＢｍの子機側スイッチ制御信号を誤りなく受信する機能を有するため、問題ない。
【００４４】
子機２０のスイッチ制御器２２は、周波数０．５ｋＨｚの正弦波信号である子機側スイッチ制御信号が入力されると、４ＷＳ／４ＷＲ切換スイッチ２３を制御して、４ＷＳ端子Ｔ4WSとレベル検出器２１の入力端子とを接続させるとともに４ＷＲ端子Ｔ4WRとレベル検出器２１の出力端子および電圧検出器２４の出力端子とを接続させる。
これにより、子機２０の４ＷＳ端子Ｔ4WSとレベル検出器２１の入力端子とが接続されるとともに、子機２０の４ＷＲ端子Ｔ4WRとレベル検出器２１の出力端子および電圧検出器２４の出力端子とが接続される。
【００４５】
続いて、制御器１９は、試験信号を発信することを指示する制御信号を試験信号発信器１１に出力する。
試験信号発信器１１は、この制御信号が入力されると、周波数１ｋＨｚの正弦波信号である試験信号を送信レベル＋４ｄＢｍで発信する。
【００４６】
試験信号発信器１１によって発信された試験信号は、図３に太線で示すように、親機１０の４ＷＳ／４ＷＲ切換スイッチ１４→４ＷＲ端子Ｔ4WR→弾器コード→Ａ制御所向け４線中継用伝送装置１１０の４ＷＲ弾器ジャック１１５→４ＷＲ側可変減衰器１１３→中間配線盤１３０の第２のジャンパ線１３２→Ｃ変電所向け４線中継用伝送装置１２０の４ＷＳ側可変減衰器１２２→４ＷＳ弾器ジャック１２４→弾器コード→子機２０の４ＷＳ端子Ｔ4WS→４ＷＳ／４ＷＲ切換スイッチ２３の順に経由して子機２０のレベル検出器２１に送られる。
【００４７】
子機２０のレベル検出器２１は、試験信号の受信レベルを検出したのち、検出した受信レベルを示す試験信号受信レベルデータを周波数２ｋＨｚの搬送波信号で位相偏移変調することにより試験信号受信レベル検出信号を生成して親機１０に送信する。
【００４８】
この試験信号受信レベル検出信号は、図３に太線で示すように、子機２０の４ＷＳ／４ＷＲ切換スイッチ２３→４ＷＲ端子Ｔ4WR→弾器コード→Ｃ変電所向け４線中継用伝送装置１２０の４ＷＲ弾器ジャック１２５→４ＷＲ側可変減衰器１２３→中間配線盤１３０の第１のジャンパ線１３１→Ａ制御所向け４線中継用伝送装置１１０の４ＷＳ側可変減衰器１１２→４ＷＳ弾器ジャック１１４→弾器コード→親機１０の４ＷＳ端子Ｔ4WS→４ＷＳ／４ＷＲ切換スイッチ１４→制御／検出切換スイッチ１５の順に経由して親機１０の制御器１９に送られる。
なお、試験信号受信レベル検出信号は、Ｃ変電所向け４線中継用伝送装置１２０の４ＷＲ側可変減衰器１２３によって４ｄＢほど減衰されるとともにＡ制御所向け４線中継用伝送装置１１０の４ＷＳ側可変減衰器１１２によって８ｄＢほど減衰されるため、−８ｄＢｍのレベルで親機１０の制御器１９に入力されるが、制御器１９は−８ｄＢｍの試験信号受信レベル検出信号を誤りなく受信するための受信部（不図示）を備えているため、問題ない。
【００４９】
制御器１９は、受信した試験信号受信レベル検出信号を復調して得た試験信号受信レベルデータに基づいて試験信号の受信レベルを確認し、Ａ制御所向け４線中継用伝送装置１１０からＣ変電所向け４線中継用伝送装置１２０への音声信号の流れについての良否判定を行ったのち、その結果を示す試験結果表示データを生成して表示部１８に出力して表示させる。
たとえば、制御器１９は、以下のようにして良否判定を行う。
（１）試験信号の受信レベルが−８ｄＢｍ±許容値の範囲内であるときは、「良」と判定
（２）試験信号の受信レベルが−８ｄＢｍ±許容値の範囲外であるときは、「４ＷＲ側可変減衰器１１３および／または４ＷＳ側可変減衰器１２２の減衰量の誤設定」と判定
（３）試験信号の受信レベルが約−４ｄＢｍであるときは、「中間配線盤１３０の第１および第２のジャンパ線１３１，１３２の誤配線」と判定
（４）試験信号の受信レベルが“０”であるときは、「４ＷＲ側可変減衰器１１３および／または４ＷＳ側可変減衰器１２２の故障か第２のジャンパ線１３２の断線」と判定
【００５０】
続いて、制御器１９は、Ｃ変電所向け４線中継用伝送装置１２０からＡ制御所向け４線中継用伝送装置１１０への音声信号の流れについて試験するために、親機１０の４ＷＳ／４ＷＲ切換スイッチ１４を４ＷＳ端子Ｔ4WSと試験信号発信器１１とを接続するとともに４ＷＲ端子Ｔ4WRと制御／検出切換スイッチ１５とを接続するように切り換え、また、制御／検出切換スイッチ１５を４ＷＳ／４ＷＲ切換スイッチ１４と子機側スイッチ制御信号発信器１２とを接続するように切り換えることを指示する制御信号を、スイッチ制御器１３に出力する。
これにより、図４に示すように、４ＷＳ／４ＷＲ切換スイッチ１４は４ＷＳ端子Ｔ4WSと試験信号発信器１１とを接続するとともに４ＷＲ端子Ｔ4WRと制御／検出切換スイッチ１５とを接続するようにスイッチ制御器１３によって切り換えられ、また、制御／検出切換スイッチ１５は４ＷＳ／４ＷＲ切換スイッチ１４と子機側スイッチ制御信号発信器１２とを接続するようにスイッチ制御器１３によって切り換えられる。
【００５１】
続いて、制御器１９は、子機２０の４ＷＳ／４ＷＲ切換スイッチ２３を４ＷＲ端子Ｔ4WRとレベル検出器２１の入力端子とを接続するとともに４ＷＳ端子Ｔ4WSとレベル検出器２１の出力端子および電圧検出器２４の出力端子とを接続するように切り換えることを指示する制御信号を、子機側スイッチ制御器１２に出力する。
子機側スイッチ制御器１２は、この制御信号に応じて、周波数０．８ｋＨｚの正弦波信号である子機側スイッチ制御信号を送信レベル＋４ｄＢｍで発信する。
【００５２】
この子機側スイッチ制御信号は、図４に太線で示すように、親機１０の制御／検出切換スイッチ１５→４ＷＳ／４ＷＲ切換スイッチ１４→４ＷＲ端子Ｔ4WR→弾器コード→Ａ制御所向け４線中継用伝送装置１１０の４ＷＲ弾器ジャック１１５→４ＷＲ側可変減衰器１１３→中間配線盤１３０の第２のジャンパ線１３２→Ｃ変電所向け４線中継用伝送装置１２０の４ＷＳ側可変減衰器１２２→４ＷＳ弾器ジャック１２４→弾器コード→子機２０の４ＷＳ端子Ｔ4WSの順に経由して子機２０のスイッチ制御器２２に送られる。
このとき、子機側スイッチ制御信号は、Ａ制御所向け４線中継用伝送装置１１０の４ＷＲ側可変減衰器１１３によって４ｄＢほど減衰されるとともにＣ変電所向け４線中継用伝送装置１２０の４ＷＳ側可変減衰器１２２によって８ｄＢほど減衰されるため、−８ｄＢｍのレベルで子機２０のスイッチ制御器２２に入力されるが、上述したようにスイッチ制御器２２は−８ｄＢｍの子機側スイッチ制御信号を誤りなく受信するための受信部を備えているため、問題ない。
【００５３】
子機２０のスイッチ制御器２２は、周波数０．８ｋＨｚの正弦波信号である子機側スイッチ制御信号が入力されると、４ＷＳ／４ＷＲ切換スイッチ２３を制御して、４ＷＲ端子Ｔ4WRとレベル検出器２１の入力端子とを接続させるとともに４ＷＳ端子Ｔ4WSとレベル検出器２１の出力端子および電圧検出器２４の出力端子とを接続させる。
これにより、子機２０の４ＷＲ端子Ｔ4WRとレベル検出器２１の入力端子とが接続されるとともに、子機２０の４ＷＳ端子Ｔ4WSとレベル検出器２１の出力端子および電圧検出器２４の出力端子とが接続される。
【００５４】
続いて、制御器１９は、試験信号を発信することを指示する制御信号を試験信号発信器１１に出力する。
試験信号発信器１１は、この制御信号が入力されると、周波数１ｋＨｚの正弦波信号である試験信号を送信レベル＋４ｄＢｍで発信する。
【００５５】
この試験信号は、図５に太線で示すように、親機１０の４ＷＳ／４ＷＲ切換スイッチ１４→４ＷＳ端子Ｔ4WS→弾器コード→Ａ制御所向け４線中継用伝送装置１１０の４ＷＳ弾器ジャック１１４→４ＷＳ側可変減衰器１１２→中間配線盤１３０の第１のジャンパ線１３１→Ｃ変電所向け４線中継用伝送装置１２０の４ＷＲ側可変減衰器１２３→４ＷＳ弾器ジャック１２５→弾器コード→子機２０の４ＷＲ端子Ｔ4WR→４ＷＳ／４ＷＲ切換スイッチ２３の順に経由して子機２０のレベル検出器２１に送られる。
【００５６】
子機２０のレベル検出器２１は、試験信号の受信レベルを検出したのち、検出した受信レベルを示す試験信号受信レベルデータを周波数２ｋＨｚの搬送波信号で位相偏移変調することにより試験信号受信レベル検出信号を生成して親機１０に送信する。
【００５７】
この試験信号受信レベル検出信号は、図５に太線で示すように、子機２０の４ＷＳ／４ＷＲ切換スイッチ２３→４ＷＳ端子Ｔ4WS→弾器コード→Ｃ変電所向け４線中継用伝送装置１２０の４ＷＳ弾器ジャック１２４→４ＷＳ側可変減衰器１２２→中間配線盤１３０の第２のジャンパ線１３２→Ａ制御所向け４線中継用伝送装置１１０の４ＷＲ側可変減衰器１１３→４ＷＲ弾器ジャック１１５→弾器コード→親機１０の４ＷＲ端子Ｔ4WR→４ＷＳ／４ＷＲ切換スイッチ１４→制御／検出切換スイッチ１５の順に経由して親機１０の制御器１９に送られる。
なお、試験信号受信レベル検出信号は、Ｃ変電所向け４線中継用伝送装置１２０の４ＷＳ側可変減衰器１２２によって８ｄＢほど減衰されるとともにＡ制御所向け４線中継用伝送装置１１０の４ＷＳ側可変減衰器１１３によって４ｄＢほど減衰されるため、−８ｄＢｍのレベルで親機１０の制御器１９に入力されるが、制御器１９の受信部は−８ｄＢｍの試験信号受信レベル検出信号を誤りなく受信する機能を有するため、問題ない。
【００５８】
制御器１９は、受信した試験信号受信レベル検出信号を復調して得た試験信号受信レベルデータに基づいて試験信号の受信レベルを確認し、Ｃ変電所向け４線中継用伝送装置１２０からＡ制御所向け４線中継用伝送装置１１０への音声信号の流れについての良否判定を行ったのち、その結果を示す試験結果表示データを生成して表示部１８に出力して表示させる。
たとえば、制御器１９は、以下のようにして良否判定を行う。
（１）試験信号の受信レベルが−８ｄＢｍ±許容値の範囲内であるときは、「良」と判定
（２）試験信号の受信レベルが−８ｄＢｍ±許容値の範囲外であるときは、「４ＷＳ側可変減衰器１１２および／または４ＷＲ側可変減衰器１２３の減衰量の誤設定」と判定
（３）試験信号の受信レベルが約−４ｄＢｍであるときは、「中間配線盤１３０の第１および第２のジャンパ線１３１，１３２の誤配線」と判定
（４）試験信号の受信レベルが“０”であるときは、「４ＷＳ側可変減衰器１１２および／４ＷＲ側可変減衰器１２３の故障か第１のジャンパ線１３１の断線」と判定
【００５９】
続いて、制御器１９は、地気試験を行うために、地気用スイッチ１７を閉じさせる制御信号を地気用スイッチ１７に出力する。
これにより、地気用スイッチ１７が閉じて、地気試験用直流電圧源１６からの直流電流が、図６に太線で示すように、親機１０のＲＧ端子ＴRG→弾器コード→Ａ制御所向け４線中継用伝送装置１１０のＲＧ信号線弾器ジャック１１７→中間配線盤１３０の第４のジャンパ線１３４→Ｃ変電所向け４線中継用伝送装置１２０のＤＬ信号線弾器ジャック１２６→弾器コード→子機２０のＤＬ端子ＴDLの順に経由して子機２０の電圧検出器２４に送られたのちに、子機２０のＲＧ端子ＴRG→弾器コード→Ｃ変電所向け４線中継用伝送装置１２０のＲＧ信号線弾器ジャック１２７→中間配線盤１３０の第３のジャンパ線１３３Ａ制御所向け４線中継用伝送装置１１０のＤＬ信号線弾器ジャック１１６→弾器コード→親機１０のＤＬ端子ＴDL→地気用スイッチ１７の順に経由して地気試験用直流電圧源１６に戻る電流路が形成される。
【００６０】
子機２０の電圧検出器２４は、子機２０のＤＬ端子ＴDLとＲＧ端子ＴRGとの間の直流電圧の電圧値を検出したのち、検出した電圧値を示す電圧値データを周波数２．５ｋＨｚの搬送波信号で位相偏移変調することにより電圧値検出信号を生成して親機１０に送信レベル＋４ｄＢｍで送信する。
【００６１】
この電圧値検出信号は、図６に太線で示すように、子機２０の４ＷＳ／４ＷＲ切換スイッチ２３→４ＷＳ端子Ｔ4WS→弾器コード→Ｃ変電所向け４線中継用伝送装置１２０の４ＷＳ弾器ジャック１２４→４ＷＳ側可変減衰器１２２→中間配線盤１３０の第２のジャンパ線１３２→Ａ制御所向け４線中継用伝送装置１１０の４ＷＲ側可変減衰器１１３→４ＷＲ弾器ジャック１１５→弾器コード→親機１０の４ＷＲ端子Ｔ4WR→４ＷＳ／４ＷＲ切換スイッチ１４→制御／検出切換スイッチ１５の順に経由して親機１０の制御器１９に送られる。
なお、電圧値検出信号は、Ｃ変電所向け４線中継用伝送装置１２０の４ＷＳ側可変減衰器１２２によって８ｄＢほど減衰されるとともにＡ制御所向け４線中継用伝送装置１１０の４ＷＳ側可変減衰器１１３によって４ｄＢほど減衰されるため、−８ｄＢｍのレベルで親機１０の制御器１９に入力されるが、制御器１９の受信部は−８ｄＢｍの電圧値検出信号を誤りなく受信する機能を有するため、問題ない。
【００６２】
制御器１９は、受信した電圧値検出信号を復調して得た電圧値データに基づいて電圧値を確認し、地気試験についての良否判定を行ったのち、その結果を示す試験結果表示データを生成して表示部１８に出力して表示させる。
たとえば、地気試験用直流電圧源１６が＋５Ｖの直流電圧を出力するものである場合には、制御器１９は、以下のようにして良否判定を行う。
（１）電圧値が＋５Ｖ±許容値の範囲内であるときは、「良」と判定
（２）電圧値が−５Ｖ±許容値の範囲内あるときは、「中間配線盤１３０の第３および第４のジャンパ線１３３，１３４の誤配線」と判定
（３）電圧値が不確定であるときは、「第３および第４のジャンパ線１３３，１３４の少なくとも１本の断線」と判定
【００６３】
このように、本実施例の伝送装置用試験装置を使用した場合には、作業員は１人でよく、また、親機１０にのみ制御器１９を設置すればよく、さらに、親機１０と子機２０との間の伝送手段として無線機を設置する必要がなくなるため、中間配線盤１３０を介して接続された４線中継用伝送装置（Ａ制御所向け４線中継用伝送装置１１０およびＣ変電所向け４線中継用伝送装置１２０）を試験する際の作業性を向上することができる。
【００６４】
以上の説明では、電圧値検出信号は、子機２０の４ＷＳ／４ＷＲ切換スイッチ２３→４ＷＳ端子Ｔ4WS→弾器コード→Ｃ変電所向け４線中継用伝送装置１２０の４ＷＳ弾器ジャック１２４→４ＷＳ側可変減衰器１２２→中間配線盤１３０の第２のジャンパ線１３２→Ａ制御所向け４線中継用伝送装置１１０の４ＷＲ側可変減衰器１１３→４ＷＲ弾器ジャック１１５→弾器コード→親機１０の４ＷＲ端子Ｔ4WR→４ＷＳ／４ＷＲ切換スイッチ１４→制御／検出切換スイッチ１５の順に経由して親機１０の制御器１９に送ったが、子機２０の４ＷＳ／４ＷＲ切換スイッチ２３→４ＷＲ端子Ｔ4WR→弾器コード→Ｃ変電所向け４線中継用伝送装置１２０の４ＷＲ弾器ジャック１２５→４ＷＲ側可変減衰器１２３→中間配線盤１３０の第１のジャンパ線１３１→Ａ制御所向け４線中継用伝送装置１１０の４ＷＳ側可変減衰器１１２→４ＷＳ弾器ジャック１１４→弾器コード→親機１０の４ＷＳ端子Ｔ4WS→４ＷＳ／４ＷＲ切換スイッチ１４→制御／検出切換スイッチ１５の順に経由して親機１０の制御器１９に送るようにしてもよい。
【符号の説明】
【００６５】
１０  親機
１１  試験信号発信器
１２  子機側スイッチ制御信号発信器
１３  スイッチ制御器
１４  ４ＷＳ／４ＷＲ切換スイッチ
１５  制御／検出切換スイッチ
１６  地気試験用直流電圧源
１７  地気用スイッチ
１８  表示器
１９  制御器
２０  子機
２１  レベル検出器
２２  スイッチ制御器
２３  ４ＷＳ／４ＷＲ切換スイッチ
２４  電圧検出器
１１０  Ａ制御所向け４線中継用伝送装置
１１１，１２１  チャンネルシート
１１２，１２２  ４ＷＳ側可変減衰器
１１３，１２３  ４ＷＲ側可変減衰器
１１４，１２４  ４ＷＳ弾器ジャック
１１５，１２５  ４ＷＲ弾器ジャック
１１６，１２６  ＤＬ信号線弾器ジャック
１１７，１２７  ＲＧ信号線弾器ジャック
１２０  Ｃ変電所向け４線中継用伝送装置
１３０  中間配線盤
１３１〜１３４  第１乃至第４のジャンパ線
１５１〜１５８  第１乃至第８の弾器コード
２００  試験装置
２１１，２１２  第１および第２の試験信号発信器
２２１，２２２  第１および第２のレベル検出器
２３１，２３２  第１および第２の地気用スイッチ
２４１，２４２  第１および第２の地気検出器
Ｔ4WS  ４ＷＳ端子
Ｔ4WR  ４ＷＲ端子
ＴDL  ＤＬ端子
ＴRG  ＲＧ端子
Ｔ1〜Ｔ4  減衰量
【図１】
2013118469.tif 000003
【図２】
2013118469.tif 000004
【図３】
2013118469.tif 000005
【図４】
2013118469.tif 000006
【図５】
2013118469.tif 000007
【図６】
2013118469.tif 000008
【図７】
2013118469.tif 000009
【図８】
2013118469.tif 000010